(57)【特許請求の範囲】
【請求項１】
車両用ディスプレイを車両用シートのヘッドレストに取付ける取付構造であり、前記ディスプレイは、前記ヘッドレストを構成するヘッドレスト本体の後方に配設されている支持構造体を介して前後方向へ回動可能に取付けられているもので、前記支持構造体は、前記ヘッドレストを構成するヘッドレストステーに左右の腕部の先端を固着されて前記ヘッドレスト本体を貫通して後方へ突出する平面略コ字状の支持軸と、前記支持軸における後方側の水平状軸部に上縁または下縁を組付けられて所定以上の作用力で前後方向の回転が許容される、ディスプレイを支持する支持台を備えていることを特徴とする車両用ディスプレイの取付構造。
【請求項２】
請求項１に記載の車両用ディスプレイの取付構造において、前記ディスプレイは回動中心が同ディスプレイの上縁側に位置するように、前記支持構造体を構成する支持台は前記支持軸に支持されていることを特徴とする車両用ディスプレイの取付構造。
【請求項３】
請求項１または２に記載の車両用ディスプレイの取付構造において、前記支持構造体を構成する前記支持台は、上縁にて前記支持軸の水平状軸部に所定の摩擦力を付与して取付けられていることを特徴とする車両用ディスプレイの取付構造。
【請求項４】
請求項１〜３のいずれか一項に記載の車両用ディスプレイの取付構造において、前記支持構造体は、前後方向の傾斜角度が調整可能なシートバックに組付けられているヘッドレスト、または、ヘッドレスト本体の前後方向の傾斜角度が調整可能なヘッドレストに取付けられていることを特徴とする車両用ディスプレイの取付構造。
【発明の詳細な説明】
【０００１】
【発明の属する技術分野】
本発明は、車両用ディスプレイを車両用シートのヘッドレストに取付ける取付構造に関する。
【０００２】
【従来の技術】
車両に搭載される小型テレビ受信機、モニタ用表示器、走行情報用表示器等、車両用ディスプレイは、車室の空間を不必要に占拠するのを避けるため、車両用シートのヘッドレストに取付けることが試みられており、その取付構造の２つの例が、実開平２−１７７７７号公報、特開平３−１０４７６号公報等に提案されている。
【０００３】
前者の公報にて提案されている取付構造は、車載用ディスプレイ装置として提案されているもので、当該取付構造では、ディスプレイが車両用シートのヘッドレストを構成するヘッドレスト本体の背部に一体に配設されているもので、ヘッドレストを構成するヘッドレストステーに対して前後方向に回動可能に取付けられている。これにより、車載用ディスプレイ装置は、ヘッドレスト本体と一体に、シートバックに対して前後方向の傾斜角度が調整可能となっている。
【０００４】
また、後者の公報にて提案されている取付構造は、自動車用ディスプレイの取付構造として提案されているもので、当該取付構造では、ディスプレイが車両用シートのヘッドレストを構成するヘッドレスト本体の内部に、同ヘッドレスト本体に設けた開口部に対向して配設されているもので、ヘッドレスト本体に対して前後方向に回動可能に取付けられている。これにより、自動車用ディスプレイは、ヘッドレスト本体に対して前後方向の傾斜角度が調整可能となっている。
【０００５】
【発明が解決しようとする課題】
ところで、これら各公報にて提案されている取付構造にてヘッドレスト本体に取付けられているディスプレイは、後部座席の着座者用のもので、ヘッドレスト本体が同着座者に対して適正な角度にある場合には、同着座者はディスプレイを良好に視認できる。しかしながら、ヘッドレスト本体の前後方向の傾斜角度が大きく変更されて適正な角度から大きく外れた場合や、車両用シートを構成するシートバックの前後方向の傾斜角度が調整されてヘッドレスト本体が適正な角度から大きく外れた場合には、同着座者がディスプレイを見やすい角度に調整することは不可能になる。
【０００６】
従って、本発明の目的は、ヘッドレスト本体の後部座席の着座者に対する角度が大きく変更された場合でも、同着座者がディスプレイを見やすい位置に容易に調整し得るようにすることにある。
【０００７】
【課題を解決するための手段】
本発明は、車両用ディスプレイの取付構造に関し、特に、車両用ディスプレイを車両用シートのヘッドレストに取付ける取付構造であって、前記ディスプレイは、前記ヘッドレストを構成するヘッドレスト本体の後方に配設されている支持構造体を介して前後方向へ回動可能に取付けられているもので、前記支持構造体は、前記ヘッドレストを構成するヘッドレストステーに左右の腕部の先端を固着されて前記ヘッドレスト本体を貫通して後方へ突出する平面略コ字状の支持軸と、前記支持軸における後方側の水平状軸部に上縁または下縁を組付けられて所定以上の作用力で前後方向の回転が許容される、ディスプレイを支持する支持台を備えていることを特徴とするものである。
【０００８】
本発明に係る取付構造においては、前記ディスプレイは回動中心が同ディスプレイの上縁側に位置するように、前記支持構造体を構成する支持台に支持することが好ましい。当該支持構造体では、支持台を、その上縁にて前記支持軸の水平状軸部に所定の摩擦力を付与して取付ける構成とすることが好ましい。
【０００９】
本発明に係る車両用ディスプレイの取付構造は、前後方向の傾斜角度が調整可能なシートバックに組付けられているヘッドレスト、または、ヘッドレスト本体の前後方向の傾斜角度が調整可能なヘッドレストに対する取付構造として好適である。
【００１０】
【発明の作用・効果】
本発明に係る車両用ディスプレイの取付構造によれば、ディスプレイを、支持構造体を介してヘッドレスト本体に対して前後方向に自由に回動させて、所望の位置に保持することができ、これにより、支持構造体に取付けられているディスプレイをヘッドレスト本体に対して見やすい角度に位置させることができる。
【００１１】
このため、ヘッドレスト本体の前後方向の傾斜角度が大きく変更された場合や、車両用シートを構成するシートバックの前後方向の傾斜角度が調整されてヘッドレスト本体の角度が大きく変更された場合でも、後部座席の着座者はディスプレイを見やすい角度に容易に調整することができて、ディスプレイを良好に視認することができる。
【００１２】
【発明の実施の形態】
以下、本発明を図面に基づいて説明する。図１は、本発明の一例に係る取付構造を採用してディスプレイを取付けたヘッドレストを示している。ヘッドレスト１０は支持構造体２０を備えていて、支持構造体２０にディスプレイ３０が取付けられている。
【００１３】
ヘッドレスト１０は、図１〜図３に示すように、門形のヘッドレストステー１１と、ヘッドレストステー１１の水平状の腕部１１ａの中央部に取付けられたプレート状フレーム１２と、腕部１１ａにおけるプレート状フレーム１２の左右の部位に取付けられた左右一対の箱状フレーム１３，１４と、パッド１５により構成されている。
【００１４】
プレート状フレーム１２は、同フレーム１２を構成するプレートをヘッドレストステー１１の腕部１１ａに、同腕部１１ａを巻き込んで折り曲げた状態で、図４（ａ）に示すように、腕部１１ａの下方に近接した部位でリベット１２ａによりカシメ止めして取付けられており、腕部１１ａの外周との間には所定の摩擦抵抗が付与されている。これにより、プレート状フレーム１２は、所定の作用力が付与された場合には、腕部１１ａを中心として前後方向に回動するとともに、作用力の付与が解除された場合には、その回動位置で保持されるようになっている。
【００１５】
右側の箱状フレーム１３は、前後一対の箱体１３ａ，１３ｂからなるもので、各箱体１３ａ，１３ｂには、上方の左側部にヘッドレストステー１１の腕部１１ａの外周に嵌合する円弧状凹所１３ｃが互いに対向して形成されているとともに、底部の中央部にヘッドレストステー１１の脚部１１ｂが挿通可能な方形状凹所１３ｄが互いに対向して形成されている。各箱体１３ａ，１３ｂは、ヘッドレストステー１１の腕部１１ａおよび脚部１１ｂを前後から挟んだ状態で、各円弧状凹所１３ｃを腕部１１ａの外周に嵌合させて一体的に取付けらていて、脚部１１ｂは、互いに対向する両方形状凹所１３ｄが形成する開口部を貫通して下方に延びている。
【００１６】
これにより、両箱体１３ａ，１３ｂを一体にして構成された箱状フレーム１３は、ヘッドレストステー１１の腕部１１ａを中心に前後方向へ所定量回動可能であり、両方形状凹所１３ｄの前端縁および後端縁が脚部１１ｂに当接した時点でその回動が規制される。なお、後側の箱体１３ｂには後面部に長円形状の貫通穴１３ｅが形成されている。
【００１７】
左側の箱状フレーム１４も、前後一対の箱体１４ａ，１４ｂからなるもので、各箱体１４ａ，１４ｂには、上方の右側部にヘッドレストステー１１の腕部１１ａの外周に嵌合する円弧状凹所１４ｃが互いに対向して形成されているとともに、底部の中央部にヘッドレストステー１１の脚部１１ｂが挿通可能な方形状凹所１４ｄが互いに対向して形成されている。各箱体１４ａ，１４ｂは、各箱体１３ａ，１３ｂと同様に、ヘッドレストステー１１の腕部１１ａおよび脚部１１ｂを前後から挟んだ状態で、各円弧状凹所１４ｃを腕部１１ａの外周に嵌合させて一体的に取付けらていて、脚部１１ｂは、互いに対向する両方形状凹所１４ｄが形成する開口部を貫通して下方に延びている。これにより、両箱体１４ａ，１４ｂを一体にして構成された箱状フレーム１４は、ヘッドレストステー１１の腕部１１ａを中心に前後方向へ所定量回動可能であり、両方形状凹所１４ｄの前端縁および後端縁が脚部１１ｂに当接した時点でその回動が規制される。なお、後側の箱体１４ｂには後面部に長円形状の貫通穴１４ｅが形成されている。
【００１８】
支持構造体２０は、図１〜図３に示すように、平面略コ字状に屈曲形成された支持軸２１と、支持軸２１の水平状の軸部２１ａに取付けられた支持台２２にて構成されている。支持軸２１においては、その左右の各腕部２１ｂの先端部が、ヘッドレストステー１１の各脚部１１ｂの上方の部位に固着されていて、左右の箱状フレーム１３，１４の後側の箱体１３ｂ，１４ｂに設けた貫通穴１３ｅ，１４ｅを貫通して後方に延びている。支持軸２１の軸部２１ａは、両腕部２１ｂよりわずかに上方に位置していて、この軸部２１ａに支持台２２が取付けられている。
【００１９】
支持台２２は、支持板２２ａの下縁に後方へ突出する受台２２ｂを備えるとともに、支持板２２ａの左右の両側縁部に後方へ突出する側板部２２ｃを備えているもので、図４（ｂ）に示すように、支持板２２ａを構成するプレートの上縁部を折り曲げて軸部２１ａを巻き込み、軸部２１ａの下方の近傍にてリベット２２ｄによりカシメ止めして取付けられており、軸部２１ａの外周との間には所定の摩擦抵抗が付与されている。これにより、支持台２２は、所定の作用力が付与された場合には、軸部２１ａを中心にして前後方向に回動するとともに、作用力の付与が解除された場合には、その回動位置で保持されるようになっている。
【００２０】
ディスプレイ３０は、図２（ｂ）に示す状態の支持構造体２０の支持台２２に後側から嵌合して、受台２２ｂに固定されて左右両側板部２２ｃに支持された状態で、支持構造体２０に取付けられている。また、ヘッドレスト１０を構成するパッド１５は、図２（ａ）に示すように左右一対のスリット１５ａ，１５ｂを備えていて、支持軸２１の左右の各腕部２１ｂを挿通させた状態で、ヘッドレスト１０の各フレーム１２〜１４の上方から外嵌されて各フレーム１２〜１４を覆蓋しており、パッド１５はこの状態で、フレーム１２〜１４とともにヘッドレスト本体１０ａを構成している。なお、ディスプレイ３０としては、小型テレビ受信機、モニタ用表示器、走行情報用表示器等、車両用の各種のディスプレイが採用される。
【００２１】
ヘッドレスト本体１０ａは、所定の作用力を付与することにより、ヘッドレストステー１１の腕部１１ａを中心として前後方向へ回動可能であるとともに、作用力の付与を解除した際には、その回動位置にて保持することができる。これにより、ヘッドレスト本体１０ａの前後方向の傾斜角度を、座席の着座者の好みに応じて自由に調整することができる。但し、ヘッドレスト本体１０ａの回動範囲は、箱状フレーム１３，１４の各方形状凹所１３ｄ，１４ｄの各端縁がヘッドレストステー１１の各脚部１１ｂに当接するまでの範囲に規制される。
【００２２】
かかる構成の取付構造においては、ヘッドレストステー１１の両脚部１１ｂに固定されている支持構造体２０がヘッドレスト本体の１０ａの後方に位置していて、ディスプレイ３０が後部座席のシートバック側に向いている。また、支持構造体２０を構成する支持台２２は、所定の作用力を付与することにより、支持軸２１の軸部２１ａを中心として前後方向へ回動可能であるとともに、作用力の付与を解除した際には、その回動位置にて保持される。このため、支持台２２に取付けられているディスプレイ３０は、支持台２２と一体に前後方向に回動するとともに、その回動位置に保持することができる。これにより、後部座席の着座者は、ディスプレイ３０のヘッドレスト本体１０ａに対する傾斜角度を自由に調整することができる。
【００２３】
従って、当該取付構造を採用すれば、ヘッドレスト本体１０ａの前後方向の傾斜角度が大きく変更された場合や、車両用シートを構成するシートバックの前後方向の傾斜角度が調整されてヘッドレスト本体１０ａの角度が大きく変更された場合でも、後部座席の着座者はディスプレイ３０を見やすい角度に容易に調整することができて、ディスプレイ３０を良好に視認することができる。
【図面の簡単な説明】
【図１】本発明の一例に係る取付構造を採用してディスプレイを取付けたヘッドレストの側面図である。
【図２】同取付構造を構成する支持構造体をヘッドレストに取付けた状態の斜視図（ａ）、および同ヘッドレストのヘッドレスト本体を構成するパッドの斜視図（ｂ）である。
【図３】同ヘッドレストを分解しパッドを省略した斜視図である。
【図４】同ヘッドレストを構成するプレート状フレームのヘッドレストステーに対する取付部位の縦断面図（ａ）、および同支持構造体を構成する支持台の支持軸に対する取付部位の縦断面図（ｂ）である。
【符号の説明】
１０…ヘッドレスト、１０ａ…ヘッドレスト本体、１１…ヘッドレストステー、１１ａ…腕部、１１ｂ…脚部、１２…プレート状フレーム、１２ａ…リベット、１３，１４…箱状フレーム、１３ａ，１３ｂ、１４ａ，１４ｂ…箱体、１３ｃ，１４ｃ…円弧状凹所、１３ｄ，１４ｄ…方形状凹所、１３ｅ，１４ｅ…貫通穴、１５…パッド、１５ａ，１５ｂ…スリット、２０…支持構造体、２１…支持軸、２１ａ…軸部、２１ｂ…腕部、２２…支持台、２２ａ…支持板、２２ｂ…受台、２２ｃ…側板部、２２ｄ…リベット、３０…ディスプレイ。
【図１】
0004470284.tif 000002
【図２】
0004470284.tif 000003
【図３】
0004470284.tif 000004
【図４】
0004470284.tif 000005